(57)【特許請求の範囲】
【請求項１】
ダイレクト接続型ネットワークの通信リソース割当て状況を管理する第１管理手段と、マスタ・スレーブ型ネットワークの通信リソース割当て状況を管理する第２管理手段と、互いに異なる前記２つのネットワークに収容された端末装置間で通信を行う場合に前記２つのネットワークの通信リソース割当て状況を参照して送信側及び受信側の両方の端末装置に同一の通信リソースを割当てる通信リソース割当て手段と、を具備することを特徴とする通信端末収容装置。
【請求項２】
ダイレクト接続型ネットワークの通信リソース割当て状況を管理する第１管理手段と、マスタ・スレーブ型ネットワークの通信リソース割当て状況を管理する第２管理手段と、ダイレクト接続型ネットワークに収容された第１端末装置からマスタ・スレーブ型ネットワークに収容された第２端末装置に対して通信要求があった場合に前記２つのネットワークの通信リソース割当て状況を参照して前記第２端末装置に受信用通信リソースを割当て、前記受信用通信リソースと同一の通信リソースを前記第１端末装置に送信用通信リソースとして割当てる通信リソース割当て手段と、を具備することを特徴とする通信端末収容装置。
【請求項３】
ダイレクト接続型ネットワークの通信リソース割当て状況を管理する第１管理手段と、マスタ・スレーブ型ネットワークの通信リソース割当て状況を管理する第２管理手段と、ダイレクト接続型ネットワークに収容された第１端末装置に対してマスタ・スレーブ型ネットワークに収容された第２端末装置から通信要求があった場合に前記２つのネットワークの通信リソース割当て状況を参照して前記第２端末装置に送信用通信リソースを割当て、前記送信用通信リソースと同一の通信リソースを前記第１端末装置に受信用通信リソースとして割当てる通信リソース割当て手段と、を具備することを特徴とする通信端末収容装置。
【請求項４】
ダイレクト接続型ネットワークの他の通信端末収容装置にて管理されている通信リソースの割当て状況を示す情報を取得する取得手段と、マスタ・スレーブ型ネットワークの通信リソース割当て状況を管理する管理手段と、互いに異なる前記２つのネットワークに収容された端末装置間で通信を行う場合に前記２つのネットワークの通信リソース割当て状況を参照して送信側及び受信側の両方の端末装置に同一の通信リソースを割当てる通信リソース割当て手段と、を具備することを特徴とする通信端末収容装置。
【請求項５】
ダイレクト接続型ネットワークの他の通信端末収容装置にて管理されている通信リソースの割当て状況を示す情報を取得する取得手段と、マスタ・スレーブ型ネットワークの通信リソース割当て状況を管理する管理手段と、ダイレクト接続型ネットワークに収容された第１端末装置からマスタ・スレーブ型ネットワークに収容された第２端末装置に対して通信要求があった場合に前記他の通信端末収容装置により前記第１端末装置に割当てられた送信用通信リソースと同一の通信リソースを前記第２端末装置に受信用通信リソースとして割当てる通信リソース割当て手段と、を具備することを特徴とする通信端末収容装置。
【請求項６】
ダイレクト接続型ネットワークの他の通信端末収容装置にて管理されている通信リソースの割当て状況を示す情報を取得する取得手段と、マスタ・スレーブ型ネットワークの通信リソース割当て状況を管理する管理手段と、ダイレクト接続型ネットワークに収容された第１端末装置に対してマスタ・スレーブ型ネットワークに収容された第２端末装置から通信要求があった場合に前記他の通信端末収容装置により前記第１端末装置に割当てられた受信用通信リソースと同一の通信リソースを前記第２端末装置に送信用通信リソースとして割当てる通信リソース割当て手段と、を具備することを特徴とする通信端末収容装置。
【請求項７】
マルチフレームのネットワーク構成の場合、通信リソース割当て手段は、自装置が収容されているネットワークに割当てられた通信リソースの範囲内で送信用あるいは受信用の通信リソースを割当てることを特徴とする請求項１から請求項６のいずれかに記載の通信端末収容装置。
【請求項８】
請求項１から請求項７のいずれかに記載の通信端末収容装置を具備することを特徴とする基地局装置。
【請求項９】
ダイレクト接続型ネットワークに収容された端末装置とマスタ・スレーブ型ネットワークに収容された端末装置との間で通信を行う場合に、前記２つのネットワークの両方で現在未使用の同一の通信リソースを選択するステップと、送信側端末装置及び受信側端末装置に前記選択した同一の通信リソースを割当てるステップと、を具備することを特徴とするスケジューリング方法。
【請求項１０】
ダイレクト接続型ネットワークに収容された第１端末装置からマスタ・スレーブ型ネットワークに収容された第２端末装置に対して通信要求があった場合に、前記ダイレクト接続型ネットワーク及び前記マスタ・スレーブ型ネットワークの両方で現在未使用の同一の通信リソースを選択するステップと、前記選択した通信リソースを送信用通信リソースとして前記第１端末装置に割当てるステップと、前記選択した通信リソースを受信用通信リソースとして前記第２端末装置に割当てるステップと、を具備することを特徴とするスケジューリング方法。
【請求項１１】
ダイレクト接続型ネットワークに収容された第１端末装置に対してマスタ・スレーブ型ネットワークに収容された第２端末装置から通信要求があった場合に、前記ダイレクト接続型ネットワーク及び前記マスタ・スレーブ型ネットワークの両方で現在未使用の同一の通信リソースを選択するステップと、前記選択した通信リソースを受信用通信リソースとして前記第１端末装置に割当てるステップと、前記選択した通信リソースを送信用通信リソースとして前記第２端末装置に割当てるステップと、を具備することを特徴とするスケジューリング方法。
【請求項１２】
ダイレクト接続型ネットワークに収容された端末装置とマスタ・スレーブ型ネットワークに収容された端末装置との間で通信を行う場合に、前記ダイレクト接続型ネットワークのスケジューリングを行っている第１通信端末収容装置にて前記ダイレクト接続型ネットワークに収容された第１端末装置に対して通信リソースを割当てるステップと、前記マスタ・スレーブ型ネットワークのスケジューリングを行っている第２通信端末収容装置にて前記マスタ・スレーブ型ネットワークに収容された第２端末装置に対して前記第１端末装置に割当てられた通信リソースと同一の通信リソースを割当てるステップと、を具備することを特徴とするスケジューリング方法。
【請求項１３】
ダイレクト接続型ネットワークに収容された第１端末装置からマスタ・スレーブ型ネットワークに収容された第２端末装置に対して通信要求があった場合に、前記ダイレクト接続型ネットワークのスケジューリングを行っている第１通信端末収容装置にて前記第１端末装置に対して送信用通信リソースを割当てるステップと、前記マスタ・スレーブ型ネットワークのスケジューリングを行っている第２通信端末収容装置にて前記第２端末装置に対して前記第１端末装置に割当てられた送信用通信リソースと同一の通信リソースを受信用通信リソースとして割当てるステップと、を具備することを特徴とするスケジューリング方法。
【請求項１４】
ダイレクト接続型ネットワークに収容された第１端末装置に対してマスタ・スレーブ型ネットワークに収容された第２端末装置から通信要求があった場合に、前記ダイレクト接続型ネットワークのスケジューリングを行っている第１通信端末収容装置にて前記第１端末装置に対して受信用通信リソースを割当てるステップと、前記マスタ・スレーブ型ネットワークのスケジューリングを行っている第２通信端末収容装置にて前記第２端末装置に対して前記第１端末装置に割当てられた受信用通信リソースと同一の通信リソースを送信用通信リソースとして割当てるステップと、を具備することを特徴とするスケジューリング方法。
【発明の詳細な説明】
【０００１】
【発明の属する技術分野】
本発明は、有線通信システムや移動体通信システムに適用される通信端末収容装置及びスケジューリング方法に関し、特に構造が互いに異なる複数のネットワークに対応することができる通信端末収容装置及びスケジューリング方法に関する。
【０００２】
【従来の技術】
近年需要が急増しているマルチメディアインタフェースでは、公衆、オフィス、ホーム等の様々なユーザ環境において、高速、大容量のデータ伝送が望まれている。この高速、大容量のデータ伝送を実現するマルチメディアインタフェースの１つとして、高速ワイヤレスアクセスネットワーク、高速無線アクセスネットワーク等が注目されている。
【０００３】
これらのネットワークの代表的な構成例として、マスタ・スレーブ型ネットワークとダイレクト接続型ネットワークとがある。マスタ・スレーブ型ネットワークは、１つの通信端末収容装置による集中制御により複数の端末装置が通信端末収容装置との通信を行うものである。一方、ダイレクト接続型ネットワークは、１つ以上の通信端末収容装置のうち制御権を獲得している通信端末収容装置による集中制御によって、複数の端末装置及び他の通信端末収容装置が各々の通信を行うものである。
【０００４】
図１４に示すマスタ・スレーブ型ネットワークは、移動体通信システムであれば基地局装置に該当するアクセスポイント（ＡＰ）機能を持つ通信端末収容装置１１と、携帯電話機等の移動局装置に該当するモバイルターミナル（ＭＴ）機能を持つＭＴ端末装置１２、１３、１４とを備える。マスタ・スレーブ型ネットワークでは、通信端末収容装置１１が時間領域や周波数等の通信リソース割当てを行うスケジューリングを実行し、必ず通信端末収容装置１１を介してＭＴ端末装置間の通信を行う。
【０００５】
図１５に示すダイレクト接続型ネットワークは、セントラルコントローラ（ＣＣ）機能及びワイヤレスターミナル（ＷＴ）機能を持つＣＣ／ＷＴ端末装置２１、２２と、ＷＴ機能のみを持つＷＴ端末装置２３、２４とを備え、ＷＴ端末装置間で直接通信を行う。この際、ＣＣ機能を有するＣＣ／ＷＴ端末装置２１、２２間で制御権を転移させ、制御権を有する装置がスケジューリングを実行する。
【０００６】
そして、ネットワークの利用範囲が拡大するに従い、マスタ・スレーブ型ネットワークとダイレクト接続型ネットワークとを融合したネットワークを使用したいという要望が高まっている。そこで、図１６に示すように、マスタ・スレーブ型ネットワークのＭＴ端末装置とダイレクト接続型ネットワークのＷＴ端末装置の双方を収容することのできるＣＣ／ＷＴ／ＡＰ機能を備えた通信端末収容装置３１を有するネットワークを考える。
【０００７】
ここで、マルチメディア無線通信方式で高速、大容量のデータ伝送を行うためには、有限な通信リソースに対して効率よくスケジューリングを行うことが肝要であり、これまで様々なスケジューリング方法が提案されている。例えば、特開平１１−２４３５７８号公報には、端末装置数が増加しても基地局の管理負担を軽減しバッファサイズを小さくする目的で、端末装置を収容する際に端末装置をグループに分割し、グループ単位で通信リソースの割当てを行なう方法が記載されている。
【０００８】
上記図１６に示したネットワークにおける従来の通信端末収容装置３１においても、ＷＴ端末装置とＭＴ端末装置との間で通信を行う場合、通信リソースの競合及び衝突が発生しないようにスケジューリングを行う。以下、従来の通信端末収容装置３１におけるスケジューリング動作について、ＷＴ端末装置２４からＭＴ端末装置１４に対して通信要求があった場合を例に、図１７のタイミング図を用いて説明する。なお、図１７では通信リソースが時間領域で分けられている場合について説明する。
【０００９】
まず、通信端末収容装置３１が、ダイレクト接続型ネットワークにおいて現在未使用である時間ａからｂの期間の通信リソースＴａ−ｂを割当てるスケジューリングを行い、通信リソースＴａ−ｂでデータを送信する旨を指示する制御情報４１をＷＴ端末装置２４に通知する。次に、ＷＴ端末装置２４が通信リソースＴａ−ｂでデータ４２を送信し、これを通信端末収容装置３１が受信する。
【００１０】
次に、通信端末収容装置３１が、マスタ・スレーブ型ネットワークにおいて現在未使用である時間ｃからｄの期間の通信リソースＴｃ−ｄを割当てるスケジューリングを行い、通信リソースＴｃ−ｄでデータを受信する旨を指示する制御情報４３をＭＴ端末装置１４に通知する。次に、通信端末収容装置３１が通信リソースＴｃ−ｄでデータ４２を送信し、これをＭＴ端末装置１４が受信する。
【００１１】
このように、従来の通信端末収容装置は、通信リソースの競合及び衝突が発生しないようにネットワーク毎にスケジューリングを行い、ある通信リソースで送信側端末装置より送信されたデータを一旦自装置にて受信し、他の通信リソースで受信側端末装置に送信している。
【００１２】
【発明が解決しようとする課題】
しかしながら、従来の通信端末収容装置におけるスケジューリング方法では、互いに異なるネットワークに収容された端末装置間で通信を行う場合に、送信用と受信用とで異なる期間の通信リソースを割当てているため、高速、大容量のデータ伝送の実現を阻害してしまうという問題がある。例えば、上記図１７の場合、データ４２をＷＴ端末装置２４からＭＴ端末装置１４に送信するために２つの期間の通信リソースＴａ−ｂ及び通信リソースＴｃ−ｄが必要となる。
【００１３】
本発明はかかる点に鑑みてなされたものであり、互いに異なるネットワークに収容された端末装置間で通信を行う場合に、通信リソースを効率的に利用することができる通信端末収容装置及びスケジューリング方法を提供することを目的とする。
【００１４】
【課題を解決するための手段】
本発明の通信端末収容装置は、ダイレクト接続型ネットワークの通信リソース割当て状況を管理する第１管理手段と、マスタ・スレーブ型ネットワークの通信リソース割当て状況を管理する第２管理手段と、互いに異なる前記２つのネットワークに収容された端末装置間で通信を行う場合に前記２つのネットワークの通信リソース割当て状況を参照して送信側及び受信側の両方の端末装置に同一の通信リソースを割当てる通信リソース割当て手段と、を具備する構成を採る。
【００１５】
本発明の通信端末収容装置は、ダイレクト接続型ネットワークの通信リソース割当て状況を管理する第１管理手段と、マスタ・スレーブ型ネットワークの通信リソース割当て状況を管理する第２管理手段と、ダイレクト接続型ネットワークに収容された第１端末装置からマスタ・スレーブ型ネットワークに収容された第２端末装置に対して通信要求があった場合に前記２つのネットワークの通信リソース割当て状況を参照して前記第２端末装置に受信用通信リソースを割当て、前記受信用通信リソースと同一の通信リソースを前記第１端末装置に送信用通信リソースとして割当てる通信リソース割当て手段と、を具備する構成を採る。
【００１６】
本発明の通信端末収容装置は、ダイレクト接続型ネットワークの通信リソース割当て状況を管理する第１管理手段と、マスタ・スレーブ型ネットワークの通信リソース割当て状況を管理する第２管理手段と、ダイレクト接続型ネットワークに収容された第１端末装置に対してマスタ・スレーブ型ネットワークに収容された第２端末装置から通信要求があった場合に前記２つのネットワークの通信リソース割当て状況を参照して前記第２端末装置に送信用通信リソースを割当て、前記送信用通信リソースと同一の通信リソースを前記第１端末装置に受信用通信リソースとして割当てる通信リソース割当て手段と、を具備する構成を採る。
【００１７】
これらの構成によれば、異なるネットワークに収容された端末装置間で通信を行う場合、各ネットワークの通信リソースの割当て状況を参照し、送信側と受信側とで同一の通信リソースを割当てるスケジューリングを行うことができるので、１つのデータの通信に１つの通信リソースを割当てることができ、通信リソースを効率的に利用することができる。
【００１８】
本発明の通信端末収容装置は、ダイレクト接続型ネットワークの他の通信端末収容装置にて管理されている通信リソースの割当て状況を示す情報を取得する取得手段と、マスタ・スレーブ型ネットワークの通信リソース割当て状況を管理する管理手段と、互いに異なる前記２つのネットワークに収容された端末装置間で通信を行う場合に前記２つのネットワークの通信リソース割当て状況を参照して送信側及び受信側の両方の端末装置に同一の通信リソースを割当てる通信リソース割当て手段と、を具備する構成を採る。
【００１９】
本発明の通信端末収容装置は、ダイレクト接続型ネットワークの他の通信端末収容装置にて管理されている通信リソースの割当て状況を示す情報を取得する取得手段と、マスタ・スレーブ型ネットワークの通信リソース割当て状況を管理する管理手段と、ダイレクト接続型ネットワークに収容された第１端末装置からマスタ・スレーブ型ネットワークに収容された第２端末装置に対して通信要求があった場合に前記他の通信端末収容装置により前記第１端末装置に割当てられた送信用通信リソースと同一の通信リソースを前記第２端末装置に受信用通信リソースとして割当てる通信リソース割当て手段と、を具備する構成を採る。
【００２０】
本発明の通信端末収容装置は、ダイレクト接続型ネットワークの他の通信端末収容装置にて管理されている通信リソースの割当て状況を示す情報を取得する取得手段と、マスタ・スレーブ型ネットワークの通信リソース割当て状況を管理する管理手段と、ダイレクト接続型ネットワークに収容された第１端末装置に対してマスタ・スレーブ型ネットワークに収容された第２端末装置から通信要求があった場合に前記他の通信端末収容装置により前記第１端末装置に割当てられた受信用通信リソースと同一の通信リソースを前記第２端末装置に送信用通信リソースとして割当てる通信リソース割当て手段と、を具備する構成を採る。
【００２１】
これらの構成によれば、異なるネットワークに収容された端末装置間で通信を行う場合、他の通信端末収容装置と協調してスケジューリングを行って、１つのデータの通信に１つの通信リソースを割当てることができ、通信リソースを効率的に利用することができる。
【００２２】
本発明の通信端末収容装置は、マルチフレームのネットワーク構成の場合、通信リソース割当て手段は、自装置が収容されているネットワークに割当てられた通信リソースの範囲内で送信用あるいは受信用の通信リソースを割当てる構成を採る。
【００２３】
この構成によれば、マルチフレームスケジューラにて割当てられた通信リソースの範囲内でスケジューリングを行うことができるので、マルチフレームのネットワーク構成に適用することができる。
【００２４】
本発明の基地局装置は、上記いずれかの通信端末収容装置を具備する構成を採る。
【００２５】
この構成によれば、基地局装置において通信リソースを効率的に利用することができるので、マルチメディア無線通信方式で高速、大容量のデータ伝送を行うことができる。
【００２６】
本発明のスケジューリング方法は、ダイレクト接続型ネットワークに収容された端末装置とマスタ・スレーブ型ネットワークに収容された端末装置との間で通信を行う場合に、前記２つのネットワークの両方で現在未使用の同一の通信リソースを選択するステップと、送信側端末装置及び受信側端末装置に前記選択した同一の通信リソースを割当てるステップと、を具備する方法を採る。
【００２７】
本発明のスケジューリング方法は、ダイレクト接続型ネットワークに収容された第１端末装置からマスタ・スレーブ型ネットワークに収容された第２端末装置に対して通信要求があった場合に、前記ダイレクト接続型ネットワーク及び前記マスタ・スレーブ型ネットワークの両方で現在未使用の同一の通信リソースを選択するステップと、前記選択した通信リソースを送信用通信リソースとして前記第１端末装置に割当てるステップと、前記選択した通信リソースを受信用通信リソースとして前記第２端末装置に割当てるステップと、を具備する方法を採る。
【００２８】
本発明のスケジューリング方法は、ダイレクト接続型ネットワークに収容された第１端末装置に対してマスタ・スレーブ型ネットワークに収容された第２端末装置から通信要求があった場合に、前記ダイレクト接続型ネットワーク及び前記マスタ・スレーブ型ネットワークの両方で現在未使用の同一の通信リソースを選択するステップと、前記選択した通信リソースを受信用通信リソースとして前記第１端末装置に割当てるステップと、前記選択した通信リソースを送信用通信リソースとして前記第２端末装置に割当てるステップと、を具備する方法を採る。
【００２９】
これらの方法によれば、異なるネットワークに収容された端末装置間で通信を行う場合、各ネットワークの通信リソースの割当て状況を参照し、送信側と受信側とで同一の通信リソースを割当てるスケジューリングを行うことにより、１つのデータの通信に１つの通信リソースを割当てることができ、通信リソースを効率的に利用することができる。
【００３０】
本発明のスケジューリング方法は、ダイレクト接続型ネットワークに収容された端末装置とマスタ・スレーブ型ネットワークに収容された端末装置との間で通信を行う場合に、前記ダイレクト接続型ネットワークのスケジューリングを行っている第１通信端末収容装置にて前記ダイレクト接続型ネットワークに収容された第１端末装置に対して通信リソースを割当てるステップと、前記マスタ・スレーブ型ネットワークのスケジューリングを行っている第２通信端末収容装置にて前記マスタ・スレーブ型ネットワークに収容された第２端末装置に対して前記第１端末装置に割当てられた通信リソースと同一の通信リソースを割当てるステップと、を具備する方法を採る。
【００３１】
本発明のスケジューリング方法は、ダイレクト接続型ネットワークに収容された第１端末装置からマスタ・スレーブ型ネットワークに収容された第２端末装置に対して通信要求があった場合に、前記ダイレクト接続型ネットワークのスケジューリングを行っている第１通信端末収容装置にて前記第１端末装置に対して送信用通信リソースを割当てるステップと、前記マスタ・スレーブ型ネットワークのスケジューリングを行っている第２通信端末収容装置にて前記第２端末装置に対して前記第１端末装置に割当てられた送信用通信リソースと同一の通信リソースを受信用通信リソースとして割当てるステップと、を具備する方法を採る。
【００３２】
本発明のスケジューリング方法は、ダイレクト接続型ネットワークに収容された第１端末装置に対してマスタ・スレーブ型ネットワークに収容された第２端末装置から通信要求があった場合に、前記ダイレクト接続型ネットワークのスケジューリングを行っている第１通信端末収容装置にて前記第１端末装置に対して受信用通信リソースを割当てるステップと、前記マスタ・スレーブ型ネットワークのスケジューリングを行っている第２通信端末収容装置にて前記第２端末装置に対して前記第１端末装置に割当てられた受信用通信リソースと同一の通信リソースを送信用通信リソースとして割当てるステップと、を具備する方法を採る。
【００３３】
これらの方法によれば、異なるネットワークに収容された端末装置間で通信を行う場合、他の通信端末収容装置と協調してスケジューリングを行って、１つのデータの通信に１つの通信リソースを割当てることができ、通信リソースを効率的に利用することができる。
【００３４】
【発明の実施の形態】
本発明の骨子は、マスタ・スレーブ型ネットワークとダイレクト接続型ネットワークを融合したネットワークにおいて、異なるネットワークに収容された端末装置間で通信を行う場合、各ネットワークの通信リソースの割当て状況を参照し、送信用と受信用に同一の通信リソースを割当てることである。
【００３５】
以下、本発明の実施の形態について、図面を参照して詳細に説明する。なお、以下の各実施の形態では通信リソースが時間領域で分けられている場合について説明する。
【００３６】
（実施の形態１）
図１は、本発明の実施の形態１に係る通信端末収容装置を含むネットワークの構成を示すブロック図であり、このネットワークはマスタ・スレーブ型ネットワークとダイレクト接続型ネットワークとを融合したものである。
【００３７】
図１において、本発明の実施の形態１に係る通信端末収容装置１０１は、ダイレクト接続型ネットワークのＷＴ端末装置とマスタ・スレーブ型ネットワークのＭＴ端末装置の双方を収容することができるＣＣ／ＷＴ／ＡＰ機能を備える。そして、通信端末収容装置１０１は、ＷＴ端末装置１０２〜１０４とダイレクト接続型ネットワークを構成し、ＭＴ端末装置１０５、１０６とマスタ・スレーブ型ネットワークを構成する。
【００３８】
図２は、図１に示した本発明の実施の形態１に係る通信端末収容装置１０１の構成を示すブロック図である。通信端末収容装置１０１は、ＷＴ送信要求処理部２０１と、ＭＴ送信要求処理部２０２と、ＤＬ（ダイレクト接続型ネットワーク）リソース管理部２０３と、ＭＳ（マスタ・スレーブ型ネットワーク）リソース管理部２０４と、通信リソース割当て部２０５と、ＤＬ制御情報生成部２０６と、ＭＳ制御情報生成部２０７と、ＤＬインタフェース部２０８と、ＭＳインタフェース部２０９を備えて構成されている。
【００３９】
ＷＴ送信要求処理部２０１は、ＷＴ端末装置から送信された、ＷＴ端末装置からＭＴ端末装置に対してデータを送信することを要求する送信要求信号を処理し、通信リソース割当て部２０５に出力する。ＭＴ送信要求処理部２０２は、図１のＭＴ端末装置から送信された、ＭＴ端末装置からＷＴ端末装置に対してデータを送信することを要求する送信要求信号を処理し、通信リソース割当て部２０５に出力する。
【００４０】
ＤＬリソース管理部２０３は、ダイレクト接続型ネットワークの通信リソースの割当て状況をテーブル上で管理し、通信リソース割当て部２０５からの通知により管理テーブルを更新する。ＭＳリソース管理部２０４は、マスタ・スレーブ型ネットワークの通信リソースの割当て状況をテーブル上で管理し、通信リソース割当て部２０５からの通知により管理テーブルを更新する。なお、ＤＬリソース管理部２０３及びＭＳリソース管理部２０４において管理されるテーブルの内容は後述する。
【００４１】
通信リソース割当て部２０５は、ＷＴ送信要求処理部２０１あるいはＭＴ送信要求処理部２０２から送信要求信号を入力した際、ＤＬリソース管理部２０３及びＭＳリソース管理部２０４が管理するテーブルを参照して、通信に適した通信リソースを割当て、割当て結果をＤＬ制御情報生成部２０６及びＭＳ制御情報生成部２０７に通知する。なお、通信リソース割当て部２０５を中心とする通信端末収容装置１０１のスケジューリング動作の詳細は後述する。
【００４２】
ＤＬ制御情報生成部２０６は、通信リソース割当て部２０５からの通知を受けて、スケジューリングのための制御情報を生成し、ＤＬインタフェース部２０８を介して、データ通信の送信側あるいは受信側のＷＴ端末装置に制御情報を送信する。ＭＳ制御情報生成部２０７は、通信リソース割当て部２０５からの通知を受けて、スケジューリングのための制御情報を生成し、ＭＳインタフェース部２０９を介して、データ通信の送信側あるいは受信側のＭＴ端末装置に制御情報を送信する。
【００４３】
ＤＬインタフェース部２０８は、ダイレクト接続型ネットワークのＷＴ端末装置１０２〜１０４とデータ通信を行う。ＭＳインタフェース部２０９は、マスタ・スレーブ型ネットワークのＭＴ端末装置１０５、１０６とデータ通信を行う。
【００４４】
次に、ＤＬリソース管理部２０３及びＭＳリソース管理部２０４において管理されるテーブルの内容について、図３及び図４を用いて説明する。図３は、ＤＬリソース管理部２０３において管理されるテーブルの内容を示す図であり、図４は、ＭＳリソース管理部２０４において管理されるテーブルの内容を示す図である。
【００４５】
ＤＬリソース管理部２０３は、図３に示すように、ダイレクト接続型ネットワークの現在の通信リソース割当て状況をテーブル上に管理する。同様に、ＭＳリソース管理部２０４は、図４に示すように、マスタ・スレーブ型ネットワークの現在の通信リソース割当て状況をテーブル上に管理する。図３及び図４において、Ｔｎ−ｍは時間ｎからｍの期間の通信リソースであり、各通信リソース毎に通信を行っている送信側装置と受信側装置とが管理される。なお、現在通信に使われていない通信リソースの送信側装置及び受信側装置の欄は「未使用」となる。また、図３及び図４の「ＢＣ」はブロードキャストである。
【００４６】
通信リソース割当て部２０５は、異なるネットワークに収容された端末装置間で通信を行う場合、ＤＬリソース管理部２０３及びＭＳリソース管理部２０４において管理されるテーブルを参照して、各ネットワークでともに未使用の同一の通信リソース（例えばＴ０３９１−０４５０）を割当てる。
【００４７】
次に、通信端末収容装置１０１のスケジューリング動作について、ＷＴ端末装置１０４からＭＴ端末装置１０６に対して通信要求があった場合を例に図３及び図４、さらに図５のタイミング図を用いて説明する。
【００４８】
まず、ＭＴ端末装置１０６に対してデータを送信することを要求する送信要求信号がＷＴ端末装置１０４から送信される。ＷＴ送信要求処理部２０１は送信要求信号を処理し、通信リソース割当て部２０５に出力する。
【００４９】
通信リソース割当て部２０５は、送信要求信号を入力した場合、図３及び図４に示したテーブルを参照して、両方のネットワークにおいて現在未使用の通信リソースＴ０３９１−０４５０を送信用及び受信用の通信リソースとして割当てるスケジューリングを行う。そして、通信リソース割当て部２０５は、通信リソースＴ０３９１−０４５０を示す割当て結果をＤＬリソース管理部２０３、ＭＳリソース管理部２０４、ＤＬ制御情報生成部２０６及びＭＳ制御情報生成部２０７に出力する。ＤＬリソース管理部２０３及びＭＳリソース管理部２０４は、入力した割当て結果に基づいて管理しているテーブルの内容を更新する。
【００５０】
この後、ＤＬ制御情報生成部２０６が、通信リソースＴ０３９１−０４５０でのデータ送信を指示する制御情報５０１を生成し、ＤＬインタフェース部２０８を介してＷＴ端末装置１０４に送信する。また、ＭＳ制御情報生成部２０７が、通信リソースＴ０３９１−０４５０でのデータ受信を指示する制御情報５０２を生成し、ＭＳインタフェース部２０９を介してＭＴ端末装置１０６に送信する。
【００５１】
そして、ＷＴ端末装置１０４が通信リソースＴ０３９１−０４５０でデータ５０３を送信し、送信されたデータ５０３は、通信端末収容装置１０１のＤＬインタフェース部２０８、ＭＳインタフェース部２０９を介してＭＴ端末装置１０６に受信される。
【００５２】
なお、制御情報５０１と制御情報５０２との送信間隔は、収容するネットワークの規定範囲内で離れていればよく、等間隔で間に他の通信が確立されていてもよく、更には連続していてもよい。また、この情報通信の前後に帯域要求、通信制御等の通信が行なわれることもあるが、各々のネットワークの通信規約に則っていればよい。
【００５３】
次に、ＭＴ端末装置１０６からＷＴ端末装置１０４に対して通信要求があった場合における通信端末収容装置１０１のスケジューリング動作について図６のタイミング図を用いて説明する。
【００５４】
まず、通信端末収容装置１０１は、ＭＴ端末装置１０６から送信要求信号を入力した場合、両方のネットワークにおいて現在未使用の通信リソースの範囲内で同一の通信リソースを送信用及び受信用として割当てるスケジューリングを行う。そして、通信端末収容装置１０１は、割当てた通信リソース（例えばＴ０３９１−０４５０）でのデータ送信を指示する制御情報６０１をＭＴ端末装置１０６に送信し、割当てた通信リソースでのデータ受信を指示する制御情報６０２をＷＴ端末装置１０４に送信する。
【００５５】
そして、ＭＴ端末装置１０６は、割当てられた通信リソースでデータ６０３を送信し、送信されたデータ６０３は、通信端末収容装置１０１を介してＷＴ端末装置１０４に受信される。なお、ＭＴ端末装置１０６は、マスタ・スレーブ型ネットワーク内の端末装置であるから通信端末収容装置１０１に対してデータを送信するが、通信端末収容装置１０１は受信したデータに対して何も動作せずに直ぐに送信するので、結局、ＭＴ端末装置からＷＴ端末装置への通信を確立することができる。
【００５６】
このように、実施の形態１によれば、異なるネットワークに収容された端末装置間で通信を行う場合、各ネットワークの通信リソースの割当て状況を参照し、送信側と受信側とで同一の通信リソースを割当てるスケジューリングを行うことにより、１つのデータの通信に１つの通信リソースを割当てることができ、通信リソースを効率的に利用することができる。
【００５７】
（実施の形態２）
図７は、本発明の実施の形態２に係る通信端末収容装置を含むネットワークの構成を示すブロック図であり、このネットワークはマスタ・スレーブ型ネットワークとダイレクト接続型ネットワークとを融合したものである。
【００５８】
本実施の形態２が実施の形態１と異なる点は、ＣＣ機能を動作させている通信端末収容装置（ＣＣ／ＷＴ）と、ＡＰ機能を動作させている通信端末収容装置（ＷＴ／ＡＰ）とが別装置であり、実施の形態２に係るＷＴ／ＡＰの通信端末収容装置が、従来と同様の構成であるＣＣ／ＷＴの通信端末収容装置が行なうスケジューリングに協調することにある。
【００５９】
図７において、本発明の実施の形態２に係る通信端末収容装置７０１は、マスタ・スレーブ型ネットワークのＭＴ端末装置を収容することのできるＷＴ／ＡＰ機能を備える。また、通信端末収容装置７０２は、ダイレクト接続型ネットワークのＷＴ端末装置を収容することのできるＣＣ／ＷＴ機能を備える。そして、通信端末収容装置７０１は、通信端末収容装置７０２及びＷＴ端末装置７０３、７０４とダイレクト接続型ネットワークを構成し、ＭＴ端末装置７０５、７０６とマスタ・スレーブ型ネットワークを構成する。
【００６０】
図８は、図７に示した本発明の実施の形態２に係る通信端末収容装置７０１の構成を示すブロック図である。なお、図８に示す通信端末収容装置７０１において、図２に示した通信端末収容装置１０１と共通する構成部分には図２と同一符号を付して説明を省略する。
【００６１】
図８に示す通信端末収容装置７０１は、図２に示した通信端末収容装置１０１に対して、通信リソース割当て部８０１の動作が通信リソース割当て部２０５と異なる。また、図８に示す通信端末収容装置７０１は、図２に示した通信端末収容装置１０１と比較して、ＷＴ送信要求処理部２０１、ＤＬリソース管理部２０３及びＤＬ制御情報生成部２０６を削除し、ＤＬ制御情報処理部８０２を追加した構成を採る。また、図７において、通信端末収容装置７０２がダイレクト接続型ネットワークの通信リソースの割当て状況をテーブル上で管理し、スケジューリングを行う。
【００６２】
以下、ＷＴ端末装置７０４からＭＴ端末装置７０６に対する通信要求があった場合における通信端末収容装置７０１の動作について説明する。
【００６３】
この場合、まず、ＭＴ端末装置７０６に対してデータを送信することを要求する送信要求信号が、ＷＴ端末装置７０４から送信される。次に、送信要求信号を受信した通信端末収容装置７０２が、マスタ・スレーブ型ネットワークの割当て可能な通信リソースの情報を要求する制御情報を通信端末収容装置７０１に対して送信する。この制御情報は、ＤＬインタフェース部２０８に受信され、ＤＬ制御情報処理部８０２を介して通信リソース割当て部８０１に入力される。
【００６４】
通信リソース割当て部８０１は、ＭＳリソース管理部２０４が管理するテーブルを参照して、通信に適した通信リソースをＤＬ制御情報処理部８０２に出力する。ＤＬ制御情報処理部８０２は、マスタ・スレーブ型ネットワークの通信に適した通信リソースを示す情報を生成し、ＤＬインタフェース部２０８を介して通信端末収容装置７０２に送信する。
【００６５】
通信端末収容装置７０２は、ＤＬ制御情報処理部８０２から受信した情報と、ダイレクト接続型ネットワークの現在の通信リソース割当て状況を参照して、送信用通信リソースを割当てるスケジューリングを行う。例えば、上記図４に示すようにマスタ・スレーブ型ネットワークの現在未使用の通信リソースがＴ０３９１−２０００であり、上記図３に示すようにダイレクト接続型ネットワークの現在未使用の通信リソースがＴ０００１−１０００及びＴ１３５１−２０００であったとすると、通信端末収容装置７０２は、２つのネットワークともに未使用である通信リソースＴ０３９１−１０００及びＴ１３５１−２０００の範囲内で送信用通信リソースを割当てる。
【００６６】
通信端末収容装置７０１は、通信端末収容装置７０２が行うスケジューリングに協調する。図９は、ＷＴ端末装置７０４からＭＴ端末装置７０６に対する通信要求があった場合において、通信端末収容装置７０１、７０２が行うスケジューリング動作を説明するためのタイミング図である。
【００６７】
通信端末収容装置７０２は、割当てた通信リソース（例えばＴ０３９１−０４５０）でのデータ送信を指示する制御情報９０１を生成し、ＷＴ端末装置７０４及び通信端末収容装置７０１に送信する。通信端末収容装置７０１において、制御情報９０１は、ＤＬインタフェース部２０８に受信され、ＤＬ制御情報処理部８０２を介してＭＳ制御情報生成部２０７に入力される。
【００６８】
ＭＳ制御情報生成部２０７は、送信用通信リソースと同一の通信リソースでのデータ受信を指示する制御情報９０２を生成し、ＭＳインタフェース部２０９を介してＭＴ端末装置７０６に送信する。
【００６９】
そして、ＷＴ端末装置７０４が、制御情報にて指示された通信リソースでデータ９０３を送信し、送信されたデータ９０３は、通信端末収容装置７０１のＤＬインタフェース部２０８、ＭＳインタフェース部２０９を介してＭＴ端末装置７０６に受信される。
【００７０】
なお、制御情報９０１と制御情報９０２との送信間隔は、収容するネットワークの規定範囲内で離れていればよく、等間隔で間に他の通信が確立されていてもよく、更には連続していてもよい。また、この情報通信の前後に帯域要求、通信制御等の通信が行なわれることもあるが、各々のネットワークの通信規約に則っていればよい。
【００７１】
次に、ＭＴ端末装置７０６からＷＴ端末装置７０４に対する通信要求があった場合における通信端末収容装置７０１の動作について説明する。
【００７２】
この場合、ＭＴ送信要求処理部２０２が、ＭＴ端末装置７０６から送信された送信要求信号を処理し、通信リソース割当て部８０１に出力する。
【００７３】
通信リソース割当て部８０１は、ＭＳリソース管理部２０４が管理するテーブルを参照して、通信に適した通信リソースをＤＬ制御情報処理部８０２に出力する。ＤＬ制御情報処理部８０２は、マスタ・スレーブ型ネットワークの通信に適した通信リソースを示す情報を生成し、ＤＬインタフェース部２０８を介して通信端末収容装置７０２に送信する。
【００７４】
通信端末収容装置７０２は、ＤＬ制御情報処理部８０２から受信した情報と、ダイレクト接続型ネットワークの現在の通信リソース割当て状況を参照して、受信用通信リソースを割当てるスケジューリングを行う。
【００７５】
通信端末収容装置７０１は、通信端末収容装置７０２が行うスケジューリングに協調する。図１０は、ＭＴ端末装置７０６からＷＴ端末装置７０４に対する通信要求があった場合において、通信端末収容装置７０１、７０２が行うスケジューリング動作を説明するためのタイミング図である。
【００７６】
通信端末収容装置７０２は、割当てた通信リソース（例えばＴ０３９１−０４５０）でのデータ受信を指示する制御情報１００１を生成し、ＷＴ端末装置７０４及び通信端末収容装置７０１に送信する。通信端末収容装置７０１において、制御情報１００１は、ＤＬインタフェース部２０８に受信され、ＤＬ制御情報処理部８０２を介してＭＳ制御情報生成部２０７に入力される。
【００７７】
ＭＳ制御情報生成部２０７は、受信用通信リソースと同一の通信リソースでのデータ送信を指示する制御情報１００２を生成し、ＭＳインタフェース部２０９を介してＭＴ端末装置７０６に送信する。
【００７８】
そして、ＭＴ端末装置７０６が、制御情報にて指示された通信リソースでデータ１００３を送信し、送信されたデータ１００３は、通信端末収容装置７０１のＭＳインタフェース部２０９、ＤＬインタフェース部２０８を介してＷＴ端末装置７０４に受信される。なお、ＭＴ端末装置７０６は、マスタ・スレーブ型ネットワーク内の端末装置であるから通信端末収容装置７０１に対してデータを送信するが、通信端末収容装置７０１は受信したデータに対して何も動作せずに直ぐに送信するので、結局、ＭＴ端末装置からＷＴ端末装置への通信を確立することができる。
【００７９】
なお、制御情報１００１と制御情報１００２との送信間隔は、収容するネットワークの規定範囲内で離れていればよく、等間隔で間に他の通信が確立されていてもよく、更には連続していてもよい。また、この情報通信の前後に帯域要求、通信制御等の通信が行なわれることもあるが、各々のネットワークの通信規約に則っていればよい。
【００８０】
このように、実施の形態２によれば、異なるネットワークに収容された端末装置間で通信を行う場合、ＡＰ機能を有する通信端末収容装置がＣＣ機能を有する通信端末収容装置と協調してスケジューリングを行うことにより、１つのデータの通信に１つの通信リソースを割当てることができ、通信リソースを効率的に利用することができる。
【００８１】
（実施の形態３）
ここで、無線ネットワークの規格は複数種類あり、その中には上記実施の形態１、２のように融合することができるものが有る。例えば、HiSWANとHiperLANとはネットワーク構成は互いに異なるが、チャネルの並びがほぼ一致しているため、異なるネットワークに収容された端末装置間において同一の通信リソースで通信を行うことができる。なお、HiSWANのネットワーク構成は一般的にマスタ・スレーブ型であり、HiperLANのネットワーク構成はマスタ・スレーブ型もしくはダイレクト接続型である。
【００８２】
一方、無線ネットワークの規格の中には本発明を用いても容易には融合することができないものも有る。例えば、IEEE802.11とHiperLANとは、チャネルの並びが全く異なるため、互いに異なる規格のネットワークに収容された端末装置間では同一の通信リソースで通信を行うことができない。このような場合、図１１に示すように複数の通信フレームを用意し（図１１では２つの通信フレーム１１０１、１１０２を用意した場合を示す）、各通信フレームでは互いに融合することができない規格の情報をそれぞれ伝送させ、ある通信フレームで情報を伝送している時間帯では他の通信フレームでは情報を伝送させないようにスケジューリングを行う。図１１では、通信フレーム１１０１にIEEE802.11の情報を伝送させ、通信フレーム１１０２にHiperLAN又はHiSWANの情報を伝送させ、情報を伝送させる通信フレームを２ms毎に切替えるスケジューリングを行う場合を示している。
【００８３】
この互いに融合することができない規格間の情報を伝送させるために用意された複数の通信フレームは、「マルチフレーム」と言われる。実施の形態３では、マルチフレームのネットワークにおける通信端末収容装置及びスケジューリング方法について説明する。
【００８４】
図１２は、本発明の実施の形態３に係る通信端末収容装置を含むネットワークの構成を示すブロック図である。図１２において、第１のネットワーク１２０１は、上記実施の形態１で示したようなマスタ・スレーブ型ネットワークとダイレクト接続型ネットワークとを融合したネットワークである。第２のネットワーク１２０２は、第１のネットワーク１２０１と融合することができない規格のネットワークである。例えば、第１のネットワーク１２０１がHiperLANとHiSWANとを融合したネットワークであり、第２のネットワーク１２０２がIEEE802.11のネットワークである。マルチフレームスケジューラ１２０３は、第１のネットワーク１２０１と第２のネットワーク１２０２との間での通信リソースの割り当てを行う。
【００８５】
第１のネットワーク１２０１は、図１に示したネットワークと比較して、本実施の形態に係る通信端末収容装置１２１１の内部構成のみが通信端末収容装置１０１のものと異なる。図１３は、通信端末収容装置１２１１の構成を示すブロック図である。なお、図１３に示す通信端末収容装置１２１１において、図２に示した通信端末収容装置１０１と共通する構成部分には、図２と同一符号を付して説明を省略する。
【００８６】
図１３に示す通信端末収容装置１２１１は、図２に示した通信端末収容装置１０１に対して、通信リソース割当て部１３０１の動作が通信リソース割当て部２０５と異なる。また、図１３に示す通信端末収容装置１２１１は、図２に示した通信端末収容装置１０１に対して、ＭＦ（マルチフレーム）制御情報処理部１３０２及びＭＦインタフェース部１３０３とを追加した構成を採る。
【００８７】
ＭＦ制御情報処理部１３０２は、ＭＦインタフェース部１３０３を介してマルチフレームスケジューラ１２０３にて第１のネットワーク１２０１に割当てられた通信リソースを示す情報を受信し、通信リソース割当て部１３０１に出力する。
【００８８】
通信リソース割当て部１３０１は、ＭＦ制御情報処理部１３０２から入力した情報を参照して、第１のネットワーク１２０１に割当てられた通信リソースの範囲内でスケジューリングを行う。
【００８９】
例えば、第１のネットワーク１２０１の異なるネットワークに収容された端末装置間の通信要求があった場合、通信リソース割当て部１３０１は、実施の形態１と同様に、ＤＬリソース管理部２０３及びＭＳリソース管理部２０４が管理するテーブルを参照して、第１のネットワーク１２０１に割当てられた通信リソースの範囲内で通信に適した通信リソースを割当てるスケジューリングを行う。
【００９０】
また、第１のネットワーク１２０１に収容された端末装置から第２のネットワーク１２０２に収容された端末装置に通信要求があった場合、第１のネットワーク１２０１に割当てられた通信リソースの範囲内で現在未使用の通信リソースを送信用の通信リソースとして割当てるスケジューリングを行い、ＭＦ制御情報処理部１３０２に通知する。ＭＦ制御情報処理部１３０２は、通信リソース割当て部１３０２からの通知を受けて、スケジューリングのための制御情報を生成し、ＭＦインタフェース部１３０３を介してマルチフレームスケジューラ１２０３に制御情報を送信する。
【００９１】
このように、マルチフレームスケジューラにて割当てられた通信リソースの範囲内でスケジューリングを行うことにより、本発明をマルチフレームのネットワーク構成に適用することができる。
【００９２】
なお、HiperLANとIEEE802.11等、本発明時点では容易に融合することができない規格同士であっても、将来、上位層でのメッセージの拡張や相互接続のための拡張がなされてチャネルの並びによる障害が軽減され、一部又は全部の通信期間において同一の通信リソースで通信を行うことができるようになる場合が考えられる。この場合には、本発明に示す方法をこれらの規格間の通信において適用することができる。
【００９３】
【発明の効果】
以上説明したように、本発明によれば、各ネットワークの通信リソースの割当て状況を参照して、送信側と受信側とで同一の通信リソースを割当てるスケジューリングを行うことができ、通信リソースを効率的に利用することができる。
【図面の簡単な説明】
【図１】本発明の実施の形態１に係る通信端末収容装置を含むネットワークの構成を示すブロック図
【図２】上記実施の形態に係る通信端末収容装置の構成を示すブロック図
【図３】上記実施の形態に係る通信端末収容装置が保持する管理テーブルを示す図
【図４】上記実施の形態に係る通信端末収容装置が保持する管理テーブルを示す図
【図５】上記実施の形態に係る通信端末収容装置のスケジューリング動作を説明するためのタイミング図
【図６】上記実施の形態に係る通信端末収容装置のスケジューリング動作を説明するためのタイミング図
【図７】本発明の実施の形態２に係る通信端末収容装置を含むネットワークの構成を示すブロック図
【図８】上記実施の形態に係る通信端末収容装置の構成を示すブロック図
【図９】上記実施の形態に係る通信端末収容装置のスケジューリング動作を説明するためのタイミング図
【図１０】上記実施の形態に係る通信端末収容装置のスケジューリング動作を説明するためのタイミング図
【図１１】マルチフレームの一例を示すフレーム構成図
【図１２】本発明の実施の形態３に係る通信端末収容装置を含むネットワークの構成を示すブロック図
【図１３】上記実施の形態に係る通信端末収容装置の構成を示すブロック図
【図１４】マスタ・スレーブ型ネットワークの構成を示すブロック図
【図１５】ダイレクト接続型ネットワークの構成を示すブロック図
【図１６】マスタ・スレーブ型ネットワークとダイレクト接続型ネットワークとを融合したネットワークの構成を示すブロック図
【図１７】従来の通信端末収容装置のスケジューリング動作を説明するためのタイミング図
【符号の説明】
１０１、７０１、１２１１  通信端末収容装置
２０１  ＷＴ送信要求処理部
２０２  ＭＴ送信要求処理部
２０３  ＤＬリソース管理部
２０４  ＭＳリソース管理部
２０５、８０１  通信リソース割当て部
２０６  ＤＬ制御情報生成部
２０７  ＭＳ制御情報生成部
８０２  ＤＬ制御情報処理部
１２０３  マルチフレームスケジューラ
１３０２  ＭＦ制御情報処理部
【図１】
0003679038.tif 000002
【図２】
0003679038.tif 000003
【図３】
0003679038.tif 000004
【図４】
0003679038.tif 000005
【図５】
0003679038.tif 000006
【図６】
0003679038.tif 000007
【図７】
0003679038.tif 000008
【図８】
0003679038.tif 000009
【図９】
0003679038.tif 000010
【図１０】
0003679038.tif 000011
【図１１】
0003679038.tif 000012
【図１２】
0003679038.tif 000013
【図１３】
0003679038.tif 000014
【図１４】
0003679038.tif 000015
【図１５】
0003679038.tif 000016
【図１６】
0003679038.tif 000017
【図１７】
0003679038.tif 000018